(57)【特許請求の範囲】
【請求項１】
本体部と、該本体部の端の外部接続用コネクタと、該外部接続用コネクタを囲むようにして設けてあるプルスリーブとを有し、
装着された状態で、前記外部接続用コネクタにケーブルコネクタが接続され、
該ケーブルコネクタが外された状態で、該プルスリーブを引くとラッチが解除されて装着された状態から抜去される構成のトランシーバモジュールにおいて、
前記プルスリーブは、手指が引っ掛る引っ掛り部を、その厚さ範囲内に有する構成とし、
前記プルスリーブは、左右の側板部材と、上面及び下面に位置して、左右の側板部材を連結して左右の側板部材間に横架してある上下の横架部材とよりなり、
前記上下の横架部材は、前記ケーブルコネクタが接続されたときに前記ケーブルコネクタによって押されて押し上げられて平らな状態とされる凹部を有し、且つ、前記凹部より前記本体部とは反対側の部位に前記凹部によって相対的に形成された引っ掛り部を有する構成としたことを特徴とするトランシーバモジュール。
【請求項２】
請求項１に記載のトランシーバモジュールにおいて、
前記上下の横架部材は、細長矩形の板部と、該板部の両端の脚部とよりなり、該脚部と前記板部との開き角度は鋭角であり、
前記両端の脚部を前記側板部材に圧入固定され、上側の横架部材の板部と下側の横架部材の板部とが前記本体部の方向に末細となるように斜めに張り出しており、
前記上側の横架部材の板部と下側の横架部材の板部とが、前記凹部及び前記引っ掛り部を形成した構成としたことを特徴とするトランシーバモジュール。
【請求項３】
請求項１に記載のトランシーバモジュールにおいて、
前記上下の横架部材は、細長矩形の板部と、該板部の両端の脚部とよりなり、該脚部と前記板部との開き角度は鋭角であり、
前記両端の脚部を前記側板部材に圧入固定され、上側の横架部材の板部と下側の横架部材の板部とが前記本体部の方向に末細となるように斜めに張り出しており、
前記上側の横架部材の板部と下側の横架部材の板部とが、前記凹部及び前記引っ掛り部を形成し、
且つ、前記左右の側板部材は、前記前記上側の横架部材の板部と下側の横架部材の板部とが無用にすぼまる方向に変形されることを制限する受け部を有する構成としたことを特徴とするトランシーバモジュール。
【請求項４】
本体部と、該本体部の端の外部接続用コネクタと、該外部接続用コネクタを囲むようにして設けてあるプルスリーブとを有し、
装着された状態で、前記外部接続用コネクタにケーブルコネクタが接続され、
該ケーブルコネクタが外された状態で、該プルスリーブを引くとラッチが解除されて装着された状態から抜去される構成のトランシーバモジュールにおいて、
前記プルスリーブは、手指が引っ掛る引っ掛り部が、手指で掴んだときに、その厚さ範囲内に形成される構成とし、
前記プルスリーブは、左右の側板部材と、上面及び下面に位置して、左右の側板部材を連結して左右の側板部材間に横架してある上下の横架部材とよりなり、
前記上下の横架部材は、前記ケーブルコネクタが外れた状態で、水平の状態にあり、本体部側がすぼまる方向に弾性変形可能である構成としたことを特徴とするトランシーバモジュール。
【発明の詳細な説明】
【技術分野】
【０００１】
本発明はトランシーバモジュールに係り、データを送信及び受信する機能を備えたものであって、サーバ装置等の情報処理装置に装着されて使用状態とされるトランシーバモジュールに関する。
【背景技術】
【０００２】
ＬＡＮ(Local Area Network)の一つにバス型ＬＡＮであるイーサネット（Ethernet（登録商標））ＬＡＮがある。イーサネットＬＡＮはデータを送信及び受信する機能を備えているサーバ装置を設置し、これに信号伝送路を接続して構築される。このＬＡＮ等のシステムは、データの送信の距離が長い場合には数１０ｋｍと長く、短い場合には１０ｍ程度と短く、ユーザによって規模がまちまちである。そこで、ユーザのニーズに柔軟に対応できるように、データを送信及び受信する機能を備えたモジュールであるトランシーバモジュールを、通信距離等に応じて複数の種類用意しておき、サーバ装置は、トランシーバモジュール装着部を幾つか有する構成とし、所望のトランシーバモジュールを装着部に装着することによって組み立てられる。また、データの送信の距離に変更があった場合等には、トランシーバモジュールを装着部から取り外し、別のトランシーバモジュールを装着することで対応が可能である。
【０００３】
図１はトランシーバモジュール１０のサーバ装置１への装着状態及びトランシーバモジュール１０をサーバ装置１からＹ２方向に引き抜くときの状態を概略的に示す。
【０００４】
トランシーバモジュール１０は、図１（Ｅ）に示すように、本体部１１と、Ｙ２側の外部接続用コネクタ１２と、このコネクタ１２を囲むプルスリーブ１３と、ラッチ機構（ラッチ爪１４以外は図示せず）とを有する構成である。プルスリーブ１３をＹ２方向に引くと、ラッチ機構が動作してラッチ爪１４が凹む構成である。また、このトランシーバモジュール１０は薄型構造であり、プルスリーブ１３の厚さ（高さ）Ａは、本体部１１の厚さ（高さ）Ｂと同じである。
【０００５】
図１（Ａ）中、２はサーバ装置１のパネル、３は開口、４はプリント基板、５はコネクタである。
【０００６】
トランシーバモジュール１０は、図１（Ａ）に示すように、サーバ装置１のパネル２の開口３に挿入されて、コネクタ５に接続されて、ラッチ爪１４がパネル２の裏面のうち開口３に臨む個所を係止した状態で、且つ、コネクタ１２及びプルスリーブ１３がサーバ装置１の外側に突き出た状態で、サーバ装置１に装着されている。
【０００７】
図１（Ｂ）に示すように、別の機器から延びているケーブル１００の端のケーブルコネクタ１０１がコネクタ１２に接続されている。これによって、上記別の機器がサーバ装置１と接続されている。これが、システムの稼動状態である。
【０００８】
システムを変更する場合には、先ず、図１（Ｃ）に示すように、ケーブルコネクタ１０１をコネクタ１２から抜いて外す。次いで、図１（Ｄ）に示すように、操作者が手指でプルスリーブ１３を掴んでＹ２方向に引く。この操作によって、ラッチ機構が動作してラッチ爪１４が凹み、トランシーバモジュール１０が図１（Ｅ）に示すようにサーバ装置１から引き抜かれる。その後に、別のトランシーバモジュールをパネル２の開口３に挿入して装着する。
【特許文献１】特許第３０３２１１７号公報
【特許文献２】特開２００５−３１６４８４号公報
【発明の開示】
【発明が解決しようとする課題】
【０００９】
上記プルスリーブ１３のうち手指で掴む部分である上下面は平らである。このため、手指の引っ掛りが十分でなく、手指でプルスリーブ１３を掴んでＹ２方向に引く操作がしにくいといる問題があった。
【００１０】
ここで、手指が引っ掛り易くするために、プルスリーブ１３のうちのＹ２側に突起部を上下に突き出して形成することが考えられる。しかし、規格でもってプルスリーブ１３の厚さＡを本体部１１の厚さＢと同じとする必要があり、上記の突起部を形成することは難しい。
【００１１】
本発明は、上記の点に鑑みてなされたトランシーバモジュールを提供することを目的とする。
【課題を解決するための手段】
【００１２】
そこで、上記課題を解決するため、本発明は、本体部と、該本体部の端の外部接続用コネクタと、該外部接続用コネクタを囲むようにして設けてあるプルスリーブとを有し、
装着された状態で、前記外部接続用コネクタにケーブルコネクタが接続され、
該ケーブルコネクタが外された状態で、該プルスリーブを引くとラッチが解除されて装着された状態から抜去される構成のトランシーバモジュールにおいて、
前記プルスリーブは、手指が引っ掛る引っ掛り部を、その厚さ範囲内に有する構成とし、
前記プルスリーブは、左右の側板部材と、上面及び下面に位置して、左右の側板部材を連結して左右の側板部材間に横架してある上下の横架部材とよりなり、
前記上下の横架部材は、前記ケーブルコネクタが接続されたときに前記ケーブルコネクタによって押されて押し上げられて平らな状態とされる凹部を有し、且つ、前記凹部より前記本体部とは反対側の部位に前記凹部によって相対的に形成された引っ掛り部を有する構成としたことを特徴とする。
【発明の効果】
【００１３】
本発明によれば、引っ掛り部をプルスリーブの厚さ寸法を増加させないで形成することが出来、よって、プルスリーブの厚さ寸法が制限されている薄型構造のトランシーバモジュールにおいて、装置から引き抜く操作の操作性を向上させることが出来る。
【発明を実施するための最良の形態】
【００１４】
次に本発明の実施の形態について説明する。
【実施例１】
【００１５】
［サーバ装置及びトランシーバモジュールの概略］
図２は本発明の実施例1になる薄型のトランシーバモジュール２０を示す。
【００１６】
Ｘ１−Ｘ２はトランシーバモジュール２０の幅方向（サーバ装置１の幅方向）、Ｙ１−Ｙ２はトランシーバモジュール２０の長手方向（サーバ装置１の奥行き方向）、Ｚ１−Ｚ２はトランシーバモジュール２０の高さ（厚さ）方向（サーバ装置１の高さ方向）である。Ｙ２側が正面であり、Ｙ１側が挿入方向先端である。
【００１７】
トランシーバモジュール２０は、本体部２１と、Ｙ２側の、外部接続用コネクタ２２と、コネクタ２２の基部側を囲む四角筒形状の囲み部２５と、外部接続用コネクタ２２を囲むプルスリーブ２３と、ラッチ機構（ラッチ爪２４を有する構成であり、ラッチ爪２４以外は図示せず）とを有する構成である。プルスリーブ２３をＹ２方向に引くと、ラッチ機構が動作してラッチ爪２４が凹む構成である。本体部２２のＹ２端側にガスケット部２６及びフランジ部２７を有する。
【００１８】
本体部２２は、直方体形状である金属製のハウジングの内部に、データを送受信するデータ送受信部等が組み込んである構成である。
【００１９】
囲み部２５はフランジ部２７よりＹ２側に突き出ている。コネクタ２２はフランジ部２７よりＹ２側に突き出ており、囲み部２５の内側を通って、囲み部２５よりＹ２側に突き出ている。
【００２０】
また、このトランシーバモジュール２０は薄型構造であり、プルスリーブ２３の厚さＡは、本体部２１の厚さＢと同じである。
【００２１】
トランシーバモジュール２０は、サーバ装置１のパネル２の開口３に挿入されて、フランジ部２６がパネル２の表面に当接し、ラッチ爪２４がパネル２の裏面のうち開口３に臨む個所を係止した状態で、且つ、ガスケット部２５がパネル２の開口３と接触した状態で、且つ、コネクタ２２及びプルスリーブ２３がサーバ装置１の外側に突き出た状態で、サーバ装置１に装着されている。
［プルスリーブ２３の構成］
図３は外部接続用コネクタ２２及びプルスリーブ２３を一部断面して拡大して示し、図４はプルスリーブ２３の一部を分解して示す。図３及び図４に示すように、プルスリーブ２３は、両側の側板部材３０Ｘ１、３０Ｘ２と、Ｚ１側とＺ２側とに位置して、両側の側板部材３０Ｘ１、３０Ｘ２との間を連結する金属板製の横架部材３１Ｚ１、３１Ｚ２とよりなり、四角の枠形状を有する。
【００２２】
側板部材３０Ｘ１、３０Ｘ２は、囲み部２５の左右の側面上に位置しており、且つ、一部は本体部２１内に入り込んでおり、Ｙ２方向にスライド可能である。側板部材３０Ｘ１、３０Ｘ２は、左右対称の形状であり、内側面に、孔３０ａ，３０ｂと、受け部としての傾斜面３０ｃ，３０ｄとを有する。
【００２３】
孔３０ａ，３０ｂは、Ｙ２側に位置している。孔３０ａはＺ１側からＺ２方向に掘られている孔であり、孔３０ｂはＺ２側からＺ１方向に掘られている孔である。傾斜面３０ｃ，３０ｄは、孔３０ａ，３０ｂの個所からＹ１方向に向かって末細となる配置で形成してある。
【００２４】
横架部材３１Ｚ１は、細長矩形の板部３１Ｚ１ａと、板部３１Ｚ１ａの両端の脚部３１Ｚ１ｂ，３１Ｚ１ｃとよりなる。板部３１Ｚ１ａのＹ２側は、円筒の一部分である湾曲部３１Ｚ１ｄとなっており、補強されている。脚部３１Ｚ１ｂ、３１Ｚ１ｃは、湾曲部３１Ｚ１ｄの端から延びている。脚部３１Ｚ１ｂ、３１Ｚ１ｃと板部３１Ｚ１ａとは、９０度より小さい鋭角の角度α（約６０度）としてある。脚部３１Ｚ１ｂ、３１Ｚ１ｃの付け根部分が弾性的に撓むことによって、板部３１Ｚ１ａは、上記の角度αが９０度となる方向に変位することが可能である。脚部３１Ｚ１ｂ、３１Ｚ１ｃは、バルジ部３１Ｚ１ｂ１，３１Ｚ１ｂ２、３１Ｚ１ｃ１，３１Ｚ１ｃ２を有する。
【００２５】
横架部材３１Ｚ２は、横架部材３１Ｚ１と対称の形状であり、板部３１Ｚ２ａと、湾曲部３１Ｚ２ｄと、脚部３１Ｚ２ｂ，３１Ｚ２ｃとよりなる。
【００２６】
横架部材３１Ｚ１は、脚部３１Ｚ１ｂ、３１Ｚ１ｃを孔３０ａに圧入されて固定してあり、Ｚ１側で、側板部材３０Ｘ１、３０Ｘ２の間に横架してあり、側板部材３０Ｘ１、３０Ｘ２間を連結している。横架部材３１Ｚ２は脚部３１Ｚ２ｂ、３２Ｚ１ｃを孔３０ｂに圧入されて固定してあり、Ｚ２側で、側板部材３０Ｘ１、３０Ｘ２の間に横架してあり、側板部材３０Ｘ１、３０Ｘ２間を連結している。
【００２７】
図３に示すように、板部３１Ｚ１ａは、傾斜面３０ｃに略沿っており、プルスリーブ２３の上面よりＺ２方向に沈み込んでおり、プルスリーブ２３の上面には、凹部３５が形成してある。板部３１Ｚ２ａは、傾斜面３０ｄに略沿っており、プルスリーブ２３の下面よりＺ１方向に沈み込んでおり、プルスリーブ２３の下面には、凹部３６が形成してある。板部３１Ｚ１ａ、３１Ｚ２ａの先端側が存在している部分は、ケーブルコネクタ２１が接続された場合にその先端部ｂが挿入される部分である。また、板部３１Ｚ１ａ、３１Ｚ２ａのＹ２側は、フリーであり、上下に広がる方向に変形が可能である。
【００２８】
また、傾斜面３０ｃ、３０ｄは、板部３１Ｚ１ａ、３１Ｚ２ａに対して、ストッパとして機能する。即ち、手指で板部３１Ｚ１ａ、３１Ｚ２ａを無意識に掴んだ場合に、板部３１Ｚ１ａの両端が傾斜面３０ｃに当り、板部３１Ｚ２ａの両端が傾斜面３０ｄに当ることによって、即ち、傾斜面３０ｃ、３０ｄが夫々板部３１Ｚ１ａ、３１Ｚ２ａの両端部を受けることによって、板部３１Ｚ１ａ、３１Ｚ２ａが無用に更にすぼまる方向に変形させられることが防止されている。
［ケーブルコネクタ２１とプルスリーブ２３との関係］
図５はトランシーバモジュール２０の使用状態、即ち、別の機器から延びているケーブル１００の端のケーブルコネクタ１０１が外部接続用コネクタ２２に接続されている状態を示す。図６は、ケーブルコネクタ１０１が外部接続用コネクタ２２に接続されている状態を拡大して示す。
【００２９】
ケーブルコネクタ１０１の先端部１０１ａは、プルスリーブ２３内に嵌合してコネクタ２２に接続されている。
【００３０】
ケーブルコネクタ１０１の先端部１０１ａがプルスリーブ２３内に嵌合して最終位置に到る過程において、ケーブルコネクタ２１の先端部はすぼまるように傾斜している板部３１Ｚ１ａ、３１Ｚ２ａに当って、更にこれを押す。この過程で、板部３１Ｚ１ａは押し上げられ、脚部３１Ｚ１ｂ、３１Ｚ１ｃの付け根部分の弾性的な撓みを伴って、角度αが９０度となる方向に変位されて、ケーブルコネクタ１０１の先端部１０１ａの上面と接触して略水平状態となる。板部３１Ｚ２ａは押し下げられ、脚部３１Ｚ２ｂ、３１Ｚ２ｃの付け根部分の弾性的な撓みを伴って、角度αが９０度となる方向に変位されて、ケーブルコネクタ１０１の先端部１０１ａの下面と接触して略水平状態となる。
【００３１】
即ち、板部３１Ｚ１ａ、３１Ｚ２ａがすぼまるように傾斜していてケーブルコネクタ１０１の接続を邪魔する状態にあるけれども、板部３１Ｚ１ａ、３１Ｚ２ａが上下に押し広げられることによって、ケーブルコネクタ１０１はプルスリーブ２３内に所定の位置まで嵌合してコネクタ２２に正常に接続される。
【００３２】
ケーブルコネクタ１０１がコネクタ２２に接続された状態で、別の機器がサーバ装置１と接続されており、システムの稼動している。このシステムの稼動状態において、横架部材３１Ｚ１、３１Ｚ２はケーブルコネクタ２１と接触して且つケーブルコネクタ１０１の先端部１０１ａの上面と下面とを覆っており、シールド機能を果たしている。
［トランシーバモジュール２０の抜去操作及び動作］
システムの変更等のためにトランシーバモジュール２０を引き抜く操作は、ケーブルコネクタ２１を外した状態で、手指でプルスリーブ２３を上下側から掴んで強く引く操作をすることによって行う。
【００３３】
ケーブルコネクタ２１を外すと、各脚部３１Ｚ１ｂ等の付け根部分が弾性力によって板部３１Ｚ１ａ、３１Ｚ２ａがすぼまるように傾斜され、プルスリーブ２３は図３に示すようになって、プルスリーブ２３の上下面に凹部３５、３６が形成される。凹部３５、３６によって、凹部３５、３６よりＹ２側（即ち、本体部２１とは反対側）の部位に、引っ掛り部３７，３８が相対的に形成される。この引っ掛り部３７，３８は、厚さＡを増さないで形成される。
【００３４】
手指でプルスリーブ２３を上下側から掴むと、図７（Ａ）に示すように、手指が凹部３５、３６に入り込み、手指をＹ２方向に引いた場合に手指が引っ掛り部３７，３８に引っ掛る状態となる。よって、プルスリーブ２３を引くために手指をＹ２方向に引いた場合に、手指の滑りが起きず、プルスリーブ２３は引き易い。プルスリーブ２３が図７（Ｂ）に示すようにＹ２方向に移動されると、ラッチ爪２４が凹んでラッチが解除され、トランシーバモジュール２０が抜去される。よって、トランシーバモジュール２０を抜去する操作を安定に行うことが出来る。
【００３５】
また、プルスリーブ２３は引く操作をする場合に手指でプルスリーブ２３を強く挟むことになり、板部３１Ｚ１ａ、３１Ｚ２ａには撓ませる力が作用するけれども、板部３１Ｚ１ａ、３１Ｚ２ａの両端側が共に固定されているため、及び固定されている個所の間の部分は湾曲部３１Ｚ１ｄ、３１Ｚ１ｄであるため、板部３１Ｚ１ａ、３１Ｚ２ａは撓まず、プルスリーブ２３を掴んで引く操作は安定に行なえる。
【００３６】
なお、横架部材３１Ｚ１、３１Ｚ２を、合成樹脂製としてもよい。
【実施例２】
【００３７】
図８（Ａ）は本発明の実施例２になるトランシーバモジュールのプルスリーブ２３Ａを示す。
【００３８】
横架部材４１Ｚ１、４１Ｚ２は、ケーブルコネクタが外れている状態で、図８（Ａ）に示すように、Ｘ１側から見た場合に、Ｌ字形状であり、板部４１Ｚ１ａ、４１Ｚ２ａは水平の状態にあり、且つ、本体部側（Ｙ１側）の端がフリーであって、すぼまる方向に弾性変形可能である構成である。
【００３９】
手指でプルスリーブ２３Ａを上下側から掴むと、図８（Ｂ）に示すように、板部４１Ｚ１ａ、４１Ｚ２ａが弾性変形されて凹み部４５、４６が形成されて、引っ掛り部４７，４８が相対的に形成される。引っ掛り部４７，４８はプルスリーブ２３Ａの厚さを増さないで形成される。手指をＹ２方向に引いた場合に手指が引っ掛り部４７，４８に引っ掛り、プルスリーブ２３Ａを掴んで引く操作は安定に行なえる。
【図面の簡単な説明】
【００４０】
【図１】トランシーバモジュールをサーバ装置から引き抜く動作を概略的に示す図である。
【図２】本発明の実施例1になる薄型のトランシーバモジュールを示す図である。
【図３】図２中、外部接続用コネクタ及びプルスリーブを一部断面して拡大して示す図である。
【図４】プルスリーブの一部を分解して示す斜視図である。
【図５】トランシーバモジュールの使用状態を示す図でる。
【図６】図５中、ケーブルコネクタが外部接続用コネクタに接続されている部分を拡大して示す図である。
【図７】トランシーバモジュールの抜去操作を示す図である。
【図８】本発明の実施例２になる薄型のトランシーバモジュールのプルスリーブを示す図である。
【符号の説明】
【００４１】
１  サーバ装置
２  パネル
３  開口
２０  薄型のトランシーバモジュール
２１  本体部
２２  外部接続用コネクタ
２３  プルスリーブ
２４  ラッチ爪
２５  囲み部
２７  フランジ部
３０Ｘ１、３０Ｘ２  側板部材
３０ａ，３０ｂ  孔
３０ｃ，３０ｄ  傾斜面
３１Ｚ１、３１Ｚ２  横架部材
３１Ｚ１ａ、３１Ｚ２ａ  板部
３１Ｚ１ｂ，３１Ｚ１ｃ、３１Ｚ２ｂ，３１Ｚ２ｃ  脚部
３１Ｚ１ｂ１，３１Ｚ１ｂ２、３１Ｚ１ｃ１，３１Ｚ１ｃ２  バルジ部
３１Ｚ１ｄ、３１Ｚ１ｄ  湾曲部
３５、３６  凹部
３７，３８  引っ掛り部
４１Ｚ１、４１Ｚ２  横架部材
４１Ｚ１ａ、４１Ｚ２ａ  板部
４５、４６  凹み部
４７，４８  引っ掛り部
【図１】
0004713384.tif 000002
【図２】
0004713384.tif 000003
【図３】
0004713384.tif 000004
【図４】
0004713384.tif 000005
【図５】
0004713384.tif 000006
【図６】
0004713384.tif 000007
【図７】
0004713384.tif 000008
【図８】
0004713384.tif 000009